(57)【特許請求の範囲】
【請求項１】
テーブル板と、前記テーブル板を支持する支柱部と、前記支柱部の基部に設けられるロック機構付きキャスタとを備える移動式テーブルにおいて、
ワイヤ操作により前記ロック機構付きキャスタのロック／ロック解除を行うロック解除機構を備え、
前記ロック解除機構は、
前記ロック機構付きキャスタのロック機構に連結されてロック／ロック解除の操作を行う操作ワイヤと、
前記操作ワイヤを動作させるワイヤレバーと、
前記ワイヤレバーを回動させる操作軸と、
前記テーブル板の長手方向の両側部に設けられ、前記操作軸を回動させる操作レバーと、
前記テーブル板の長手方向の中央部に設けられ、前記ロック機構のロック解除状態を保持するロック解除保持部材と、
を備え、
前記ロック解除保持部材は、前記ワイヤレバーを覆う操作部カバーに設けられたガイド部、前記ガイド部にそって動作可能なボタン部、前記ボタン部の内部に設けられ前記ボタン部と前記ガイド部に囲まれて設けられたばねを含み、
前記操作レバーは、前記テーブル板の下側に配置され、前記テーブル板の長手方向両側端部に設けられる、
ことを特徴とする移動式テーブル。
【請求項２】
前記ロック解除保持部材は、前記ロック機構のロック状態を解除するように前記操作ワイヤを動作させた前記ワイヤレバーの状態を保持し、
前記操作レバーの操作により前記ロック機構がロック解除状態になったときに、前記ロック解除保持部材が操作可能となることを特徴とする請求項１に記載の移動式テーブル。
【請求項３】
前記ロック解除保持部材と前記操作レバーとは、異なる位置に配置され、
前記ロック解除保持部材は、前記ロック機構のロック状態を解除するように前記操作軸を動作させた前記操作レバーの状態を保持することを特徴とする請求項１または２に記載の移動式テーブル。
【請求項４】
前記支柱部は、伸縮可能に構成されていることを特徴とする請求項１から３のうちの何れか一項に記載の移動式テーブル。
【請求項５】
前記支柱部は、前記テーブル板との接続部が折りたたみ可能に構成されていることを特徴する請求項１から４のうちの何れか一項に記載の移動式テーブル。
【発明の詳細な説明】
【技術分野】
【０００１】
本発明は、移動式テーブルに係り、特に、ベッドサイドテーブルやオーバーベッドテーブル等におけるロック機構付きキャスタを備えた移動式テーブルに関する。
【背景技術】
【０００２】
従来、ベッドサイドからベッドの幅方向に移動して所定位置に配置して使用するベッドサイドテーブルや、ベッドのフット側からベッドの長手方向に移動して所定位置に配置して使用するオーバーベッドテーブル等の移動式テーブルでは、ユーザがテーブルを使用時にキャスタが動かないようにするためのロック操作機構を備えるものが知られている。
【０００３】
従来技術として、例えば、ベッドサイドテーブルにおいて、キャスタを設けた脚部に上下動可能な接地部材と、接地部材を上下作動する操作手段と、操作手段により接地部材を床面に向かって押し下げ操作をして接地部材を接地させると共に、キャスタを床面から浮かした状態で保持する保持手段を有するロック機構を備えるものが開示されている（特許文献１を参照）。
【０００４】
また、その他の例として、ベッドの近傍において使用する床頭台において、床面に配置された４個のキャスタを、インナワイヤとアウタワイヤから成る操作用ワイヤで一括して操作する構成とし、その操作レバーを床頭台の側板の上端部に配置した操作機構が開示されている（特許文献２を参照）。
【０００５】
しかしながら、特許文献１のようなロック機構では、操作部位が脚部側に位置しているので操作がし難く、また脚部の全てのキャスタに対して操作するためには、例えば片側ずつ２回の操作が必要となるため操作が繁雑となるという問題がある。
【０００６】
また、特許文献２のような操作機構では、操作レバーが床頭台の上部に設けられているため操作がし易く、また全てのキャスタを一操作で同時にロック状態とすることができるが、操作レバーが側板の上端部に配置するため、大きなハンドルとすることはできないため、操作力を軽くすることが難しいという問題がある。
【０００７】
そこで、ロック機構付きキャスタを設けた昇降式テーブルにおいて、テーブル板の下部に操作レバーを設け、脚部にはキャスタのロック機構の作動ピンを作動する作動レバーを設けて、ロック機構付きキャスタのロック操作を行うようにしたものが提案されている（特許文献３を参照）。
【０００８】
このような構成によれば、昇降式移動テーブルにおいて、キャスタをロック状態とするための操作部をテーブル板に設けることで、ロック操作を行い易くするとともに、全てのキャスタを一括して操作可能で、しかも操作力を軽くすることができる。
【先行技術文献】
【特許文献】
【０００９】
【特許文献１】特許第３４６３８０５号公報
【特許文献２】特開２０１０−８８４９０号公報
【特許文献３】特開２０１１−２３４９７３号公報
【発明の概要】
【発明が解決しようとする課題】
【００１０】
しかしながら、特許文献３の技術では、キャスタのロック機構のロック操作、ロック解除操作を選択的に操作することができるが、通常状態では常にロック状態とするようにしたものではなく、また、キャスタのロック機構のロック解除を行う際に、ロック解除状態を保持するようにしたものではなかった。
【００１１】
本発明は、上記従来の問題点に鑑みてなされたものであって、通常状態ではキャスタのロック機構を常にロック状態とすることで安全性を向上させるとともに、ロック解除を行う際に、ロック解除状態を保持することで、ロック・解除操作の操作性の向上を図るようにした移動式テーブルを提供することを目的とする。
【課題を解決するための手段】
【００１２】
上述した課題を解決するための本発明に係る移動式テーブルは、次の通りである。
【００１３】
本発明は、テーブル板と、前記テーブル板を支持する支柱部と、前記支柱部の基部に設けられるロック機構付きキャスタとを備える移動式テーブルにおいて、ワイヤ操作により前記ロック機構付きキャスタのロック／ロック解除を行うロック解除機構を備え、前記ロック解除機構の構成として、前記ロック機構付きキャスタのロック機構に連結されてロック／ロック解除の操作を行う操作ワイヤ（例えば、ワイヤユニット）と、前記操作ワイヤを動作させるワイヤレバーと、前記ワイヤレバーを回動させる操作軸と、前記操作軸を回動させる操作レバーと、前記ロック解除機構によるロック解除状態を保持するロック解除保持部材（例えば、ストップボタン、ストップレバーなど）と、を備えることを特徴とするものである。
【００１４】
また、本発明は、前記ロック解除保持部材の構成として、前記ロック機構のロック状態を解除するように前記操作ワイヤを動作させた前記ワイヤレバーの状態を保持するように構成することが好ましい。
【００１５】
また、本発明は、前記ロック解除保持部材の構成として、前記ロック機構のロック状態を解除するように前記操作軸を動作させた前記操作レバーの状態を保持するように構成することが好ましい。
【００１６】
また、本発明は、前記支柱部を伸縮可能に構成することが好ましい。
【００１７】
また、本発明は、前記支柱部を前記テーブル板との接続部を折りたたみ可能に構成することが好ましい。
【発明の効果】
【００１８】
本発明の移動式テーブルによれば、テーブル板と、前記テーブル板を支持する支柱部と、前記支柱部の基部に設けられるロック機構付きキャスタとを備える移動式テーブルにおいて、ワイヤ操作により前記ロック機構付きキャスタのロック／ロック解除を行うロック解除機構を備え、前記ロック解除機構の構成として、前記ロック機構付きキャスタのロック機構に連結されてロック／ロック解除の操作を行う操作ワイヤ（例えば、ワイヤユニット）と、前記操作ワイヤを動作させるワイヤレバーと、前記ワイヤレバーを回動させる操作軸と、前記操作軸を回動させる操作レバーと、前記ロック解除機構によるロック解除状態を保持するロック解除保持部材（例えば、ストップボタン、ストップレバーなど）と、を備えることで、通常状態では前記ロック機構付きキャスタを常にロック状態にして、使用中の移動式テーブルが移動しないようすることで安全性を向上させることができ、ロック解除を行う際に、容易にロック解除状態を保持することができるので、ロック・解除操作の操作性の向上を図り、簡単な操作でレバー等を操作し続けることなく連続的に移動式テーブルの移動操作を行うことができる。
【００１９】
また、本発明によれば、前記ロック解除保持部材の構成として、前記ロック機構のロック状態を解除するように前記操作ワイヤを動作させた前記ワイヤレバーの状態を保持するように構成することで、簡単にロック解除状態を保持することができる。
【００２０】
また、本発明によれば、前記ロック解除保持部材の構成として、前記ロック機構のロック状態を解除するように前記操作軸を動作させた前記操作レバーの状態を保持するように構成することで、簡単にロック解除状態を保持することができる。
【００２１】
また、本発明によれば、前記支柱部を伸縮可能に構成することで、前記移動式テーブルの高さを最適な位置に調整することができる。
【００２２】
また、本発明によれば、前記支柱部を前記テーブル板との接続部が折りたたみ可能に構成することで、前記移動式テーブルを運搬、収納する際に、省スペースで運搬、収納することができる。
【図面の簡単な説明】
【００２３】
【図１】本発明の実施形態に係る移動式テーブルの全体の構成を示す説明図である。
【図２】前記移動式テーブルの全体の構成を示す正面視による説明図である。
【図３】前記移動式テーブルの全体の構成を示す側面視による説明図である。
【図４】前記移動式テーブルを高くした状態を示す側面視による説明図である。
【図５】（ａ）は前記移動式テーブルを使用する際に支柱部を立てたときの支柱部とテーブル板との連結部の状態を示す説明図、（ｂ）は前記支柱部を折りたたんだときの支柱部とテーブル板との連結部の状態を示す説明図である。
【図６】（ａ）は前記移動式テーブルを構成する脚部の構成を示す説明図、（ｂ）は前記脚部を構成するキャスタおよびロック機構の構成を示す説明図である。
【図７】前記移動式テーブルを構成するロック解除機構の全体構成を示す説明図である。
【図８】前記ロック解除機構を構成する操作ワイヤの設置状態を示す説明図である。
【図９】前記操作ワイヤのテーブル側から支柱部側へ連絡する構成を示す説明図である。
【図１０】前記ロック解除機構を構成するワイヤレバーの構成を示す説明図である。
【図１１】前記ロック解除機構を構成する操作レバーの構成を示す説明図である。
【図１２】前記ロック解除機構を構成するストップボタンの配置を示す説明図である。
【図１３】前記ストップボタンとワイヤレバーとの位置関係を示す説明図である。
【図１４】前記ストップボタンの構成を示す説明図である。
【図１５】（ａ）は前記ストップボタンの取付け状態を示す断面図である、（ｂ）は前記ストップボタンを動作させた状態を示す説明図。
【図１６】本実施形態のロック解除保持部材を構成するストップボタンの実施例２の構成を示す説明図である。
【図１７】（ａ）は実施例２のストップボタンの取付け状態を示す断面図、（ｂ）は前記ストップボタンを動作させた状態を示す説明図である。
【発明を実施するための形態】
【００２４】
以下、本発明の移動式テーブルを実施するための形態について図面を参照して詳細に説明する。
図１は本発明を実施する形態の一例であって、本発明の実施形態に係る移動式テーブルの全体の構成を示す説明図、図２は前記移動式テーブルの全体の構成を示す正面視による説明図、図３は前記移動式テーブルの全体の構成を示す側面視による説明図、図４は前記移動式テーブルを高くした状態を示す側面視による説明図、図５（ａ）は前記移動式テーブルを使用する際に支柱部を立てたときの支柱部とテーブル板との連結部の状態を示す説明図、（ｂ）は前記支柱部を折りたたんだときの支柱部とテーブル板との連結部の状態を示す説明図、図６（ａ）は前記移動式テーブルを構成する脚部の構成を示す説明図、（ｂ）は前記脚部を構成するキャスタおよびロック機構の構成を示す説明図である。
【００２５】
本実施形態に係る移動式テーブル１は、オーバーベッドテーブルであって、図１〜図３に示すように、テーブル板１０と、テーブル板１０を支持する支柱部２０と、支柱部２０の基部に設けられるロック機構付きキャスタ（以下、「キャスタ」と称する。）３１を備える脚部３０と、を有する移動式テーブルにおいて、ワイヤ操作によりキャスタ３１のロック／ロック解除を行うロック解除機構４０を備えることを特徴としている。
【００２６】
まず、本実施形態の移動式テーブル１の全体構成について図面を参照して説明する。
【００２７】
テーブル板１０は、図１，図２に示すように、ベッド装置（図示省略）の幅方向にわたりベッド装置を跨いで配置することが可能なように細長い矩形状に形成されている。
そして、テーブル板１０は、上面１０１と下面１０２とを備えている。
【００２８】
下面１０２の長手方向両端部には支柱部２０が配置されて、移動式テーブル１を門型状に形成している。支柱部２０の基部にはキャスタ３１を備える脚部３０が具備されている。
【００２９】
下面１０２の下側には、図２に示すように、長手方向に沿って長くテーブル補強部材１０３が設けられている。テーブル補強部材１０３には支柱部２０が折りたたみ可能に構成されている。
【００３０】
また、テーブル板１０の長手方向に沿った側端部の下には、図１，図３に示すように、ロック解除機構４０が設けられている。テーブル板１０とテーブル補強部材１０３との間には、ロック解除機構４０の一部を構成する曲げ伸ばし可能な操作ワイヤ４１が敷設されている。
【００３１】
支柱部２０は、図３，図４に示すように、伸縮可能に構成されている。
支柱部２０は、第１支柱部材２０１と第２支柱部材２０２とを備え、第１支柱部材２０１に沿って第２支柱部材２０２をテーブル板１０とともに図中上下方向に移動することで伸縮するように構成されている。
【００３２】
第１支柱部材２０１は脚部３０側に設けられ、第２支柱部材２０２はテーブル板１０側に設けられて、図示しない駆動機構により、ユーザがテーブル板１０を押上げたり、押し下げたりする操作によるテーブル板１０の高さ調整を可能にしている。
【００３３】
支柱部２０の内部には、支柱部２０が伸縮する動作に対応して支柱部２０内部に配設される操作ワイヤ４１をガイドする伸縮ガイド構造２１が構成されている。
【００３４】
伸縮ガイド構造２１は、第１ガイド部材２１１と第２ガイド部材２１２とを備え、支柱部２０が伸縮する範囲で第１ガイド部材２１１に沿って第２ガイド部材２１２を図中上下方向に移動することで伸縮するように構成されている。
【００３５】
第１ガイド部材２１１は第１支柱部材２０１側に設けられ、第２ガイド部材２１２は第２支柱部材２０２側に設けられて、支柱部２０が伸縮することで支柱部２０内部に配設される操作ワイヤ４１の長さが変化しても折れ曲がらないようにガイドするように構成されている。
【００３６】
また、支柱部２０は、図５（ａ），（ｂ）に示すように、第２支柱部材２０２が、テーブル板１０の下部に設けられたテーブル補強部材１０３に折りたたみ可能に取付けられている。
【００３７】
第２支柱部材２０２には、テーブル補強部材１０３に取付けられる支柱連結部２０３が一体的に設けられている。
【００３８】
支柱連結部２０３は、図５（ａ）に示すように、回動支持部２０３ａと、固定部２０３ｂと、固定部２０３ｃとを備えている。
【００３９】
支柱連結部２０３は、回動支持部２０３ａを支点として支柱連結部２０３をテーブル補強部材１０３に回動可能に軸支されている。
【００４０】
回動支持部２０３ａは、支柱部２０を折りたたむときには、支柱連結部２０３を回動する支点として機能するとともに、テーブル補強部材１０３に形成された長穴状のガイド穴１０３ａに沿って支柱連結部２０３の回動をガイドする。そして、回動支持部２０３ａは、テーブル使用状態では図示しない支持部材によりガイド穴１０３ａに係合される。
【００４１】
固定部２０３ｂ、２０３ｃは、テーブル使用状態では図示しない締結部材によりテーブル補強部材１０３に形成された取付け穴１０３ｂ、１０３ｃにそれぞれ固定される。
【００４２】
このように、支柱連結部２０３を設けることで、移動式テーブル１を使用するときは、第２支柱部材２０２をテーブル補強部材１０３に対して、支持部材により回転支持部２０３ａを係合した状態で、締結部材により固定部２０３ｂ、２０３ｃの２箇所で確実に固定することができる。
一方、移動式テーブル１を使用しないときは、固定部２０３ｂ、２０３ｃの締結部材を外すだけで、回転支持部２０３ａによりテーブル補強部材１０３に支柱連結部材２０３を連結した状態で第２支柱部材２０２を簡単に折りたたむことができ、コンパクトに収納することができる。
【００４３】
脚部３０は、図６（ａ），（ｂ）に示すように、キャスタ３１と、キャスタ３１の回転動作をロック／ロック解除するロック機構３２と、キャスタ３１とロック機構３２が組み込まれる脚部フレーム３３とを備えて構成されている。
【００４４】
脚部フレーム３３は、図６（ａ）に示すように、テーブル板１０の幅方向に沿って長く形成され、その両端部にキャスタ３１が取付けられている。
【００４５】
キャスタ３１は、図６（ｂ）に示すように、脚部フレーム３３の端部に取付けられた取付けブラケット３３１に対して取付け軸３１１を中心に回転自在に軸支されている。この取付け軸３１１と同軸上にブレーキシュー３２１を支持するブレーキシュー支持軸３２２が取付け軸３１１の軸線方向に移動可能に取付けられている。
【００４６】
ブレーキシュー支持軸３２２は、図６（ｂ）に示すように、コイルばね３２３によりブレーキシュー３２１がキャスタ３１から離間する方向（図中上方向）に付勢されている。
【００４７】
ブレーキシュー３２１は、ロック機構３２を構成する操作アーム３２４により駆動操作されるようになっている。そして、ブレーキシュー支持軸３２２が操作アーム３２４に突設されたストッパ部３２４ｃに当接することでブレーキシュー３２１の位置が設定される。
【００４８】
操作アーム３２４は、一端部３２４ａが取付けブラケット３３１のキャスタ３１の取付け位置（取付け軸３１１の位置）よりも外側に設けられた支持部３３１ａに支持軸３２５により回動自在に軸支され、他端部３２４ｂが連結ピン３２６によりインナワイヤ４１１に連結されている。他端部３２４ｂには、連結ピン３２６の動きをガイドする長穴状のガイド穴３２４ｃが形成されている。
【００４９】
操作アーム３２４は、脚部フレーム３３の端部から中央部にわたり配置されている。
【００５０】
操作アーム３２４は、インナワイヤ４１１により支持軸３２５を支点に他端部３２４ｂを上下方向に回動操作される。
【００５１】
操作アーム３２４は、他端部３２４ｂが上方に回動すると、ストッパ部３２４ｃが上方に変移するため、ブレーキシュー３２１はコイルばね３２３のばね力により上方にキャスタ３１から離間する方向、すなわち、キャスタ３１のロックを解除する方向に移動する。
【００５２】
一方、他端部３２４ｂがコイルばね３２７のばね力によって下方に回動すると、ストッパ部３２４ｃが下方に変移するため、ブレーキシュー３２１はコイルばね３２３のばね力を抗して下方にキャスタ３１に当接する方向、すなわち、キャスタ３１をロックする方向に移動する。
【００５３】
操作アーム３２４は、脚部フレーム３３の中央部において、脚部フレーム３３の他端部に配置された他のキャスタ３１の操作アーム３２４の他端部３２４ｂと連結ピン３２６により連結されている。
【００５４】
このように構成することで、連結ピン３２６に連結されたインナワイヤ４１１を操作することにより、操作アーム３２４の両端部のロック機構３２を同時に動作させることができる。
【００５５】
次に、本実施形態のロック解除機構４０の特徴的な構成について図面を参照して説明する。
図７は本実施形態の移動式テーブルを構成するロック解除機構の全体構成を示す説明図、図８は前記ロック解除機構を構成する操作ワイヤの設置状態を示す説明図、図９は前記操作ワイヤのテーブル側から支柱部側へ連絡する構成を示す説明図、図１０は前記ロック解除機構を構成するワイヤレバーの構成を示す説明図、図１１は前記ロック解除機構を構成する操作レバーの構成を示す説明図、図１２は前記ロック解除機構を構成するストップボタンの配置を示す説明図、図１３は前記ストップボタンとワイヤレバーとの位置関係を示す説明図、図１４は前記ストップボタンの構成を示す説明図、図１５（ａ）は前記ストップボタンの取付状態を示す断面図、（ｂ）は前記ストップボタンを動作させた状態を示す説明図である。
【００５６】
ロック解除機構４０は、図１，図２，図７に示すように、操作ワイヤ４１、ワイヤレバー４２、操作軸４３、操作レバー４４、ストップボタン４５、操作部カバー４６を備えて構成されている。
【００５７】
操作ワイヤ４１は、図６〜図１０に示すように、動作するインナワイヤ４１１とアウタワイヤ４１２とを備えて、テーブル板１０側のワイヤレバー４２と脚部３０側のキャスタ３１のロック機構３２に連結されてロック／ロック解除の操作を行う。
【００５８】
操作ワイヤ４１は、図８に示すように、一端部がワイヤレバー４２に取付けられ、図９に示すように、テーブル板１０側から支柱部２０の内部を通って脚部３０側へ敷設されて、図６（ａ）に示すように、他端部が脚部３０のキャスタ３１のロック機構３２の連結ピン３２６によって操作アーム３２４に取付けられている。
【００５９】
そして、操作ワイヤ４１は、支柱部２０が伸縮する範囲でキャスタ３１のロック機構３２のロック／ロック解除操作が可能なように、図７に示すように、テーブル板１０とテーブル補強部材１０３との間で長さ余裕を持たせるように湾曲させて敷設されている。
【００６０】
具体的には、操作ワイヤ４１は、図１０に示すように、インナワイヤ４１１の一端部をワイヤレバー４２に取付け、図８に示すように、アウタワイヤ４１２の一端部を接続部材４１２ａによりテーブル補強部材１０３の中央付近に設けられた操作ワイヤ取付け部１０２ａに取付けた状態で、テーブル補強部材１０３の中央付近で円弧状に湾曲させて余裕を持たせて、図９に示すように、テーブル補強部材１０３の側端部からワイヤガイド部４８を介して支柱部２０の内部を通って脚部３０まで引き回して、図６（ａ）に示すように、インナワイヤ４１１の他端部をキャスタ３１のロック機構３２に取付け、アウタワイヤ４１２の他端部を脚部３０の一部に取付けられている。
【００６１】
ワイヤガイド部４８は、湾曲した筒状体で構成され、支柱部２０が伸縮することにより操作ワイヤ４１が変移する際に曲げＲが極端に小さくならないようにガイドするようにされている。
【００６２】
操作ワイヤ４１は、テーブル板１０の両側部に設けられた２箇所の支柱部２０から脚部３０にわたり同じ様に敷設されている。
【００６３】
ワイヤレバー４２は、図１０に示すように、テーブル板１０の下部でテーブル補強部材１０３の中央付近に配置され、インナワイヤ４１１の一端部が接続されて動作させることで、インナワイヤ４１１の他端部が接続される移動式テーブル１の両端部の２箇所に配置される脚部３０のキャスタ３１のロック機構３２を同時に動作させる。
【００６４】
操作軸４３は、図７に示すように、テーブル補強部材１０３の長手方向の側端部に沿って長く設けられ、テーブル補強部材１０３に回動可能に取付けられている。操作軸４３の長手方向の中央部付近にはワイヤレバー４２が一体的に設けられて、操作軸４３の回動とともにワイヤレバー４２が一体的に回動するようにされている。
【００６５】
操作レバー４４は、図１１に示すように、一端部が外側に突設された略Ｌ字状のレバー部であって、他端部が操作軸４３に一体的に設けられて、操作軸４３を回動させる。
本実施形態では、操作レバー４４は、操作軸４３の両端部に設けられている。
【００６６】
ストップボタン４５は、ロック解除機構４０によるキャスタ３１のロック機構３２のロック解除状態を保持するロック解除保持部材として機能する。
【００６７】
操作部カバー４６は、図１２，図１３に示すように、ワイヤレバー４２付近をカバーするとともに、ワイヤレバー４２に対してストップボタン４５を所定の位置に配置するものである。
【００６８】
ストップボタン４５は、図１４、図１５（ａ），（ｂ）に示すように、一端側につば部４５ａが形成され、他端側が開口した筒状体で形成され、この筒状体の内部にコイルばね４５１が配置される。ストップボタン４５の他端側の端部には、外周に沿って筒状体よりも外側に突出した当接部４５ｂが形成されている。
【００６９】
ストップボタン４５は、通常はコイルばね４５１により操作部カバー４６の外側に突出した状態となるように付勢されている。
【００７０】
つば部４５ａは、図１２に示すように、ストップボタン４５が操作部カバー４６に押し込まれたときに、操作部カバー４６内部に入り込まないようにストッパとして機能する。
【００７１】
本実施形態では、ストップボタン４５は、図１２に示すように、操作部カバー４６に押し込まれた状態で、図１３に示すように、動作したワイヤレバー４２の一部（リブ４２ａ）と当接して、ワイヤレバー４２が動作した状態を保持するように構成されている。
【００７２】
次に、移動式テーブル１を移動する際に、ロック解除機構４０によりキャスタ３１を回転可能にする操作について図面を参照して説明する。
【００７３】
移動式テーブル１を移動する場合は、まず、ロック解除機構４０の操作レバー４４を握って上方に所定量回動操作する。
【００７４】
操作レバー４４の動作に連動してワイヤレバー４２が手前に回動することで、インナワイヤ４１１が所定量引っ張られて、図６（ａ）に示すように、インナワイヤ４１１が接続される連結ピン３２６が引き上げられる。
【００７５】
これにより、操作アーム３２４の他端部３２４ｂが上方に回動することで、図６（ｂ）に示すように、ストッパ部３２４ｃが上方に変移する。これにより、コイルばね３２３によってブレーキシュー支持軸３２２とともにブレーキシュー３２１が引き上げられることで、キャスタ３１のブレーキシュー３２１によるロック状態が解除されて、キャスタ３１が回転可能になる。
【００７６】
このとき、操作レバー４４を操作してワイヤレバー４２が動作したままの状態で、図１２，図１３に示すように、ストップボタン４５を操作部カバー４６に押し込み、ストップボタン４５の当接部４５ｂとワイヤレバー４２の一部とが当接する位置で、握った操作レバー４４を離すことで、ワイヤレバー４２の一部がストップボタン４５に当接して動作状態が保持される。
【００７７】
このようにして、キャスタ３１のロックが解除された状態が保持されるので、ユーザは操作レバー４４を握った状態を維持することなくテーブル移動を連続的に行うことができる。これにより、移動テーブル１０を移動する際に操作レバー４４を操作する負担を軽減できる。
【００７８】
次に、移動式テーブル１の移動を終了してキャスタ３１をロック状態とする操作について図面を参照して説明する。
【００７９】
移動式テーブル１の移動を終了して、キャスタ３１をロック状態に戻す場合は、所定位置で保持されている操作レバー４４をさらに握り込む。操作レバー４４をさらに握り込むことで、ワイヤレバー４２がストップボタン４５から離間するため、ワイヤレバー４２とストップボタン４５との係止状態が解除されて、ストップボタン４５はコイルばね４５１のばね力で操作部カバー４６の外側に押し出されて元の状態に戻る。
【００８０】
そして、操作レバー４４の握り状態を開放して元の状態に戻すと、図６（ａ）に示すように、ロック機構３２のコイルばね３２７のばね力によって操作アーム３２４の他端部３２４ｂが下方に回動することで、図６（ｂ）に示すように、ストッパ部３２４ｃが下方に変移する。これにより、ストッパ部３２４ｃによってブレーキシュー支持軸３２２とともにブレーキシュー３２１が押し下げられることで、キャスタ３１はブレーキシュー３２１によりロック状態となる。
【００８１】
このようにして、ユーザは、操作レバー４４をロック解除状態からさらに握り込むだけで、ストッパ部３２４ｃによるワイヤレバー４２の保持状態を解除して、簡単にキャスタ３１をロック状態に戻すことができる。
【００８２】
以上のように構成したので、本実施形態によれば、テーブル板１０と、テーブル板１０を支持する支柱部２０と、キャスタ３１とロック機構３２を備える脚部３０を有する移動式テーブル１において、ワイヤ操作によりキャスタ３１のロック／ロック解除を行うロック解除機構４０を備え、ロック解除機構４０の構成として、キャスタ３１のロック機構３２に連結されてロック／ロック解除の操作を行う操作ワイヤ４１と、操作ワイヤ４１を動作させるワイヤレバー４２と、ワイヤレバーを回動させる操作軸４３と、操作軸４３を回動させる操作レバー４４と、ロック解除機構４０によるロック解除状態を保持するストップボタン４５と、を備えることで、通常状態ではキャスタ３１を常にロック状態にして、使用中の移動式テーブルが移動しないようすることで安全性を向上させることができ、ロック解除を行う際に、ストップボタン４５により容易にロック解除状態を保持することができるので、ロック・解除操作の操作性の向上を図り、簡単な操作で操作レバー４４を操作し続けることなく連続的に移動式テーブル１の移動操作を行うことができる。
【００８３】
なお、本実施形態では、ストップボタン４５によりワイヤレバー４２の動作状態を保持するようにしているが、本発明は、ロック機構３２を操作する操作ワイヤ４１の動作状態を保持するものであれば、これに限定されるものではなく、例えば、操作レバー４４の動作状態を保持するストッパを設けたり、操作軸４３の回転動作を規制する回転規制部材を設けるようにしたものであってもよい。
【００８４】
また、本実施形態では、ロック解除保持部材として機能するストップボタン４５は、図１５（ａ），（ｂ）に示すように、ロック解除操作する際に、操作カバー４６にストップボタン４５が入り込むように構成されているが、本発明は、ロック解除保持部材の構成をこれに限定するものではない。
【００８５】
以下に、本実施形態のロック解除機構を構成するストップボタン４５の実施例２について説明する。
図１６は本実施形態のロック解除保持部材を構成するストップボタンの実施例２の構成を示す説明図、図１７（ａ）は実施例２のストップボタンの取付け状態を示す断面図、（ｂ）は前記ストップボタンを動作させた状態を示す説明図である。
【００８６】
実施例２は、ロック解除保持部材の構成として、図１６に示すように、操作カバー１４６にガイド部１４６ａを設けて、ガイド部１４６ａに沿ってストップボタン１４５を動作可能に取付けるようにしたものである。
【００８７】
具体的には、図１６、図１７（ａ），（ｂ）に示すように、操作カバー１４６には、ストップボタン１４５をガイドするガイド部１４６ａが形成されている。ガイド部１４６ａは筒状に突出形成されている。
【００８８】
ストップボタン１４５は、ガイド部１４６ａの外周に沿って動作するボタン部１４５ａと、ガイド部１４６ａの内周に沿って動作する当接部１４５ｂとを備えて構成されている。ボタン部１４５ａと当接部１４５ｂとは取付けねじ１４５ｃにより一体的に連結されている。
【００８９】
ボタン部１４５ａは、一端側に当接部１４５ｂが取付けられる取付け部１４５ａ１が形成され、他端側が開口した筒状体で形成され、この筒状体の内部にコイルばね１４５１が配置される。
【００９０】
当接部１４５ｂは、柱状に形成され、一端部にはボタン部１４５ａに締結可能なようにねじ穴が形成され、他端部には柱状体よりも外側に突出したつば部１４５ｂ１が形成されている。当接部１４５ｂは、金属部材により形成されたものであってもよい。
【００９１】
つば部１４５ｂ１は、図１７（ａ），（ｂ）に示すように、ストップボタン１４５が操作部カバー１４６から飛び出さないようにストッパとしても機能するとともに、ワイヤレバー４２の一部と当接してワイヤレバー４２の動作状態を保持するようにされている。
【００９２】
この実施例では、ロック解除保持操作が行われると、図１７（ａ），（ｂ）に示すように、ストップボタン１４５が所定量操作カバー１４６側に変移することで、当接部１４５ｂが操作カバー１４６内部へ突出し、動作したワイヤレバー４２の一部（リブ４２ａ）と当接して、ワイヤレバー４２が動作した状態を保持するように構成されている。
【００９３】
以上のように構成したので、実施例２によれば、ストップボタン１４５を押してロック解除保持操作を行うときに、当接部１４５ｂが操作カバー１４６のガイド部１４６ａによりガイドされてスムーズに動作するため、操作性の向上を図ることができる。
【００９４】
なお、本発明は、上述した実施形態や実施例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００９５】
本発明のベッド装置は、医療用、介護用のベッド等に利用することができる。
【符号の説明】
【００９６】
１  移動式テーブル
１０  テーブル板
２０  支柱部
３０  脚部
３１  キャスタ
３２  ロック機構
４０  ロック解除機構
４１  操作ワイヤ
４２  ワイヤレバー
４３  操作軸
４４  操作レバー
４５，１４５  ストップボタン（ロック解除保持部材）
４６，１４６  操作部カバー
１０１  上面
１０２  下面
１０３  テーブル補強部材
２０１  第１支柱部材
２０２  第２支柱部材
２０３  支柱連結部
【図１】
0006505410.tif 000002
【図２】
0006505410.tif 000003
【図３】
0006505410.tif 000004
【図４】
0006505410.tif 000005
【図５】
0006505410.tif 000006
【図６】
0006505410.tif 000007
【図７】
0006505410.tif 000008
【図８】
0006505410.tif 000009
【図９】
0006505410.tif 000010
【図１０】
0006505410.tif 000011
【図１１】
0006505410.tif 000012
【図１２】
0006505410.tif 000013
【図１３】
0006505410.tif 000014
【図１４】
0006505410.tif 000015
【図１５】
0006505410.tif 000016
【図１６】
0006505410.tif 000017
【図１７】
0006505410.tif 000018